(57)【特許請求の範囲】
【請求項１】
天井等に取付ける取付部材と、この取付部材に取付けられる灯具本体とを備え、前記取付部材および前記灯具本体のいずれか一方に設けられた引掛部と、前記取付部材および前記灯具本体の他方に設けられて前記引掛部が引っ掛かる引掛受け穴とを備え、前記引掛受け穴は、前記灯具本体が前記取付部材から離れた位置で前記引掛部を係脱自在に引っ掛ける仮掛け部を縁部に有し、この仮掛け部から摺動用の案内部を介して前記引掛部が移動することにより前記灯具本体を前記取付部材に接近させるとともに前記引掛部を前記引掛受け穴に抜止め係合する仮吊り部を有することを特徴とする照明器具の仮吊り機構。
【発明の詳細な説明】
【０００１】
【発明の属する技術分野】
この発明は、照明器具の仮吊り機構に関するものである。
【０００２】
【従来の技術】
主に大型の照明器具の器具本体やグローブを取付ける際の施工手段として、一旦器具本体等を仮吊りしてから、正規取付けを行なうことが行なわれている。
第１の従来例を図５および図６に示す。すなわち、この照明器具の仮吊り機構は、天井に取付けた取付板１００にＶ字形の引掛部１０１を形成し、器具本体１０２のフランジ１０３に接続した仮吊り紐１０４の先端にＳ環１０５を取付け、このＳ環１０５を引掛部１０１に引っ掛けることにより仮吊りするものである。１０６は本取付け用のボルト、１０７はボルト１０６が通る孔、１０８は孔１０７に透ったボルト１０６にねじられてフランジ１０３を保持する袋ナット、１０９は取付板１００の天井取付ねじ、１１０は電源線である。
【０００３】
第２の従来例を図７および図８に示す。すなわち、この照明器具の仮吊り機構は、器具本体１１１の相対向する一対の側部にそれぞれ引掛ばね１１２を設け、引掛ばね１１２に引っ掛ける引掛金具１１４をカバー１１３に設け、器具本体１１１の一側部の引掛ばね１１２に引掛金具１１４を引掛けた後、他側部の引掛ばね１１２に引掛金具１１４を引っ掛けて仮吊りする。仮吊り状態からカバー１１３を押し上げ、釦１１５を器具本体１１１の孔１１６にねじ込み等により係止して本取付けする。
【０００４】
【発明が解決しようとする課題】
しかし、第１の従来例および第２の従来例は、部品点数が多いためコスト高になるとともに、仮吊りから本取付けがしにくく、また仮吊り状態で外れる可能性があるという欠点があった。
したがって、この発明の目的は、部品点数を削減し、本取付けが容易にでき、しかも仮吊り状態でも外れなくすることができる照明器具の仮吊り機構を提供することである。
【０００５】
【課題を解決するための手段】
請求項１の照明器具の仮吊り機構は、天井等に取付ける取付部材と、この取付部材に取付けられる灯具本体とを備え、前記取付部材および前記灯具本体のいずれか一方に設けられた引掛部と、前記取付部材および前記灯具本体の他方に設けられて前記引掛部が引っ掛かる引掛受け穴とを備え、前記引掛受け穴は、前記灯具本体が前記取付部材から離れた位置で前記引掛部を係脱自在に引っ掛ける仮掛け部を縁部に有し、この仮掛け部から摺動用の案内部を介して前記引掛部が移動することにより前記灯具本体を前記取付部材に接近させるとともに前記引掛部を前記引掛受け穴に抜止め係合する仮吊り部を有することを特徴とするものである。
【０００６】
請求項１の照明器具の仮吊り機構によれば、引掛部を引掛受け穴に引っ掛けるため、部品点数を低減できるとともに構造が簡単化できコスト安にできる。また仮掛け部から仮吊り部へ案内部を通して移動することにより容易に仮吊りができ、さらに仮吊り部では引掛部が抜止め係合しているため、灯具本体にどの方向から外力が働いても灯具本体が落下しなくなり、結線等の作業がより安全に行なえるとともに、本取付け後に本取付けが外れることがあっても引掛部により灯具本体が落下しないので２重の安全が図れる。
【０００７】
【発明の実施の形態】
この発明の一実施の形態を図１ないし図４により説明する。すなわち、この照明器具の仮吊り機構は、直管蛍光灯に適用したもので、取付部材１と、灯具本体２とを有する。
取付部材１は、実施の形態において断面逆Ｕ字形の長尺状板により形成し、中央に天井５の引掛シーリングボディ６を挿通する挿通孔３を有し、両端に灯具本体２を本取付けする取付部４を設けている。この取付部４は取付部材１の両端に折曲した垂下板７より外方に折曲された舌片状に形成させ、その中心にねじ孔８を形成している。また中間部に天井に取付ける複数の取付孔９を形成し、取付孔９を通して木ねじ１０を天井５にねじ込んで取付部材１を天井５に固定している。さらに取付部材１の中央付近の一側の挿通孔３の両側に引掛受け穴１１を形成している。
【０００８】
灯具本体２は、取付部材１に取付けられるもので、断面略Ｕ字形の長尺状板でその内部に電子安定器等の点灯部品や引掛シーリングボディ６に接続する引掛シーリングキャップ１２が設けられ、また灯具本体２の下面にはランプソケット１３および反射板１４を有してランプ１５が収まる灯具部１６が設けられている。さらに灯具本体２の両端に取付部４に連結する本体側取付部１７を有し、ねじ孔８に連結する長孔１８を形成している。灯具本体２を取付部材１に取付ける本取付けはつまみねじ１９を長孔１８に通してねじ孔８に締めつけることにより行なう。
【０００９】
また灯具本体２の中央部の一側に引掛受け穴１１に対応して引掛部２０が取付けられている。この引掛部２０は板部２１の一側の両端に一対が略Ｌ字形に折曲されて形成され、板部２１を灯具本体の２の一側板２ａの内面に取付けている。ここで、引掛受け穴１１は、灯具本体２が取付部材１から離れた位置で引掛部２０を係脱自在に引っ掛ける仮掛け部２２を縁部に有し、この仮掛け部２２から摺動用の案内部２３を介して引掛部２０が移動することにより灯具本体２を取付部材１に接近させるとともに引掛部２０を引掛受け穴１１に抜止め係合する仮吊り部２４を有する。実施の形態では引掛受け穴１１が断面逆Ｕ字形の取付部材１の水平部と一側部にまたがって略角形に形成され、引掛受け穴１１の下側縁部が略Ｚ字形に形成され、仮掛け部２２および仮吊り部２４は水平であるが、案内部２３は傾斜している。また引掛受け穴１１は仮掛け部２２の位置で略Ｌ字形の引掛部２０を出し入れできる大きさに形成され、仮吊り部２４では穴の大きさが狭くなっており、引掛部２０が仮掛け部２２から仮吊り部２４に移動した状態で仮吊り部２４から引掛部２０を外部に抜き出そうとすると仮吊り部２４に引っ掛かって外部に抜き出すことができない大きさとしているが、灯具本体２を持ち上げて取付部材１の取付位置に押し上げる際に引掛部２０が移動するスペースは有するものとしている。この場合、仮吊り部２４は灯具本体２の取付部材１に対する取付位置の真下に位置している。
【００１０】
図３の（ａ）は引掛部２０を仮掛け部２２に引掛けた仮吊り状態である。図３の（ｂ）は灯具本体２を長手方向に押して引掛部２０を案内部２３に摺動し、さらに仮吊り部２４へ引掛部２０を移動した状態である。この位置では前記したように灯具本体２の本体側取付部１７が取付部４に対向するとともに、灯具本体２がいかなる方向の外力を受けても引掛受け穴１１に引っ掛かって外れない状態となる。そして、この状態で安全に配線等が行なわれる。またこの状態からつまみねじ１９を長孔１８に通して取付部材１のねじ孔８に締付けて灯具本体２を固定して本取付けする。
【００１１】
エンドカバー２５は、取付部４および本体側取付部１７並びにランプソケット１３の外面を被覆するもので、灯具本体２の両端に被さる逆台形部２６と灯具部１６の両端に被さる円形部２７とを有する。２８は灯具本体２および灯具部１６に対する摩擦係止ばねである。
この実施の形態によれば、引掛部２０を引掛受け穴１１に引っ掛けるため、部品点数を低減できるとともに構造が簡単化できコスト安にできる。また仮掛け部２２から仮吊り部２４へ案内部２３を通して移動することにより容易に仮吊りができ、さらに仮吊り部２４では引掛部２０が抜止め係合しているため、灯具本体２にどの方向から外力が働いても灯具本体２が落下しなくなり、結線等の作業がより安全に行なえるとともに、本取付け後に本取付けが外れることがあっても引掛部１１により灯具本体２が落下しないので２重の安全が図れる。
【００１２】
また、直管形照明器具のように、取付部材１の両端の取付部４に灯具本体２の両端の本体側取付部１７を取付ける構成では、図９に示すように、従来の仮吊り紐３０およびＳ環３１による仮吊りを行なったとき、灯具本体２の長手方向の一端を固定後に、図１０に示すように他端を固定するため持ち上げる際にその他端の角縁２ａで天井５に傷５ａを付けるおそれがあるが、この実施の形態ではこのようなことはない。
【００１３】
なお、引掛部２０は灯具本体２に設け、引掛受け穴１１を取付部材１に設けたが、引掛部２０を取付部材１に設け、引掛受け穴１１を灯具本体２に設けてもよい。また引掛部２０は灯具本体２等に一体に設けてもよい。
【００１４】
【発明の効果】
請求項１の照明器具の仮吊り機構は、引掛部を引掛受け穴に引っ掛けるため、部品点数を低減できるとともに構造が簡単化できコスト安にできる。また仮掛け部から仮吊り部へ案内部を通して移動することにより容易に仮吊りができ、さらに仮吊り部では引掛部が抜止め係合しているため、灯具本体にどの方向から外力が働いても灯具本体が落下しなくなり、結線等の作業がより安全に行なえるとともに、本取付け後に本取付けが外れることがあっても引掛部により灯具本体が落下しないので２重の安全が図れる。
【図面の簡単な説明】
【図１】この発明の一実施の形態の灯具本体の仮吊り前の要部斜視図である。
【図２】全体の一部破断分解斜視図である。
【図３】灯具本体の仮吊り動作を説明する説明図である。
【図４】灯具本体を取付部材に取付ける説明図である。
【図５】第１の従来例の仮吊り前の斜視図である。
【図６】その部分拡大図である。
【図７】第２の従来例の仮吊り前の斜視図である。
【図８】その仮吊り状態の一部拡大した図を含む斜視図である。
【図９】直管蛍光灯の灯具部材を仮吊りした状態の斜視図である。
【図１０】その一端側を取付ける動作時の説明図である。
【符号の説明】
１    取付部材
２    灯具本体
１１    引掛受け穴
２０    引掛部
２２    仮掛け部
２３    案内部
２４    仮吊り部
【図１】
0003737194.tif 000002
【図２】
0003737194.tif 000003
【図３】
0003737194.tif 000004
【図４】
0003737194.tif 000005
【図５】
0003737194.tif 000006
【図６】
0003737194.tif 000007
【図７】
0003737194.tif 000008
【図８】
0003737194.tif 000009
【図９】
0003737194.tif 000010
【図１０】
0003737194.tif 000011